(57)【要約】【課題】マスク本体の中に挿入し易く、且つ、長時間水分を保持し、口腔及び/又は鼻腔に水分を供給することが可能な吸収性シート、及びこれを備えるマスクの提供。【解決手段】保水液を保持できるマスク用の吸収性シートであって、前記吸収性シートが、マスクへの装着使用時において、横方向の同一行上に２つ以下の通気孔が配置形設された複数の通気孔行を備えていることを特徴とする吸収性シート。【選択図】図１
2018172807.tif 000002
【特許請求の範囲】
【請求項１】
保水液を保持できるマスク用の吸収性シートであって、
前記吸収性シートが、マスクへの装着使用時において、横方向の同一行上に２つ以下の通気孔が配置形設された複数の通気孔行を備えていることを特徴とする吸収性シート。
【請求項２】
前記吸収性シートが、マスクへの装着使用時において、縦方向の同一列上に２つ以上の通気孔が配置形設された複数の通気孔列を備えていることを特徴とする請求項１記載の吸収性シート。
【請求項３】
前記通気孔列において、同一列上に形設される通気孔の数が２つ又は３つである請求項１又は２記載の吸収性シート。
【請求項４】
前記通気孔列の数が３〜７列である請求項１〜３記載の吸収性シート。
【請求項５】
前記吸収性シートが、少なくとも下側に角部の存在しない略長方形状を呈している請求項１〜４のいずれか１項記載の吸収性シート。
【請求項６】
３〜２０ｇの保水液を保持している請求項１〜５のいずれか１項記載の吸収性シート。
【請求項７】
請求項１〜６のいずれか１項記載の吸収性シートを備えているマスク。
【請求項８】
前記吸収性シートが、マスク本体が備えている、通気性を有し、且つ、難透水性を有するメッシュフィルム間に挿入装着されている請求項７記載のマスク。
【請求項９】
前記吸収性シートが、通気性を有し、且つ、難透水性を有するメッシュフィルムでマスク本体の内部又は外部に形成された、上部に開口部を有するポケット部に挿入装着されている請求項７又は８記載のマスク。
【発明の詳細な説明】
【技術分野】
【０００１】
本発明は、吸収性シート及びこれを備えるマスクに関する。
【背景技術】
【０００２】
近年、花粉症対策・風邪予防以外に、主に睡眠中の使用者の口腔及び/又は鼻腔の乾燥防止を目的としたマスクが提案されている。
例えば、特許文献１には、マスクに取り付けられる、通気孔を有する保水液保持用の吸収性コア、及びこれを備えたマスクが記載されている。
【先行技術文献】
【特許文献】
【０００３】
【特許文献１】特開２０１１−１６１２７２号公報
【発明の概要】
【発明が解決しようとする課題】
【０００４】
しかしながら、斯かる従来の吸収性コアは、全ての通気孔がマスクへの装着使用時において、横方向の同一行上に配置して形成されていたため、当該横ラインに沿って上下に折れ曲がり、吸収性コアの下側に湾曲部が生じ易いため、当該吸収性コアの下側がマスク本体の吸収性コア挿入用ポケット部の開口縁部に引っかかり易い結果、マスク本体に挿入装着し難い、と云う問題があった。
また、当該上下の折れ曲がりにより、マスクの装着使用時、その左右両側縁部と頬部分との間の密着性が低下する結果、従来の吸収性コアによっては、長時間にわたって水分を保持・供給する機能が十分に得られていなかったのが実状であった。
【０００５】
本発明は、斯かる従来の問題と実状に鑑みてなされてもので、マスク本体の中に挿入し易く、且つ、長時間水分を保持し、口腔及び/又は鼻腔に水分を供給することが可能な吸収性シート、及びこれを備えるマスクを提供することを課題とする。
【課題を解決するための手段】
【０００６】
本発明者は、上記の課題を解決すべく種々研究を重ねた結果、吸収性シートに、呼吸のための通気孔を、少なくとも横方向の同一行上には２つ以下となるように配置形設すれば、極めて良い結果が得られることを見い出し、本発明を完成した。  
【０００７】
すなわち、本発明は、保水液を保持できるマスク用の吸収性シートであって、
前記吸収性シートが、マスクへの装着使用時において、横方向の同一行上に２つ以下の通気孔が配置形設された複数の通気孔行を備えていることを特徴とする吸収性シートにより上記課題を解決したものである。
また、本発明は、前記吸収性シートを備えているマスクにより上記課題を解決したものである。
【発明の効果】
【０００８】
本発明の吸収性シートによれば、通気孔が横方向の同一行上においては２つ以下となっているため、当該横ラインに沿って上下に曲がりにくく、その下側に湾曲部が生じない結果、マスク本体の中に容易に挿入することができる。また、本発明の吸収性シートは、当該横ラインに沿って上下に折れ曲がりにくい結果、マスクの装着使用時、その左右両側縁部と頬部との密着性が高まり、長時間水分を保持・供給することが可能なため、これを備えたマスクは使用者の口腔及び/又は鼻腔の乾燥防止に有用である。
【図面の簡単な説明】
【０００９】
【図１】本発明の第１の実施の形態に係る吸収性シートの正面説明図である。
【図２】本発明の第２の実施の形態に係る吸収性シートの正面説明図である。
【図３】本発明の第３の実施の形態に係る吸収性シートの正面説明図である。
【図４】本発明の第４の実施の形態に係る吸収性シートの正面説明図である。
【図５】吸収性シートにおける通気孔の配置を説明する図である。
【図６】吸収性シートを備えたマスクの装着状態を示す図である。
【図７】本発明マスクの内側（顔面に触れる側）の正面説明図である。
【図８】図７のＡ−Ａ線端面説明図である。
【図９】評価試験に用いた比較品の吸収性シートの正面説明図である。
【図１０】マスク内湿度の評価結果を示す図である。
【発明を実施するための形態】
【００１０】
以下本発明の実施の形態を図面と共に説明する。
【００１１】
まず、図１を用いて本発明の第１の実施の形態に係る吸収性シートについて説明する。
図１において、１０は吸収性シートで、少なくとも下側に角部の存在しない略長方形状を呈していると共に、その全面にわたって複数の通気孔１１が形設されている。当該吸収性シート１０は、保水液を保持し、マスクに挿入・装着されて使用者の口腔及び／又は鼻腔に水分を供給するシートである。
マスクへの装着使用時において、当該吸収性シート１０の縦方向の同一列上には２つ以上の通気孔１１が配置形設された通気孔列が５列形成されている。他方、横方向の同一行上には、２つ以下の通気孔１１が配置形設された通気孔行が７行形成されている。すなわち、各通気孔行には、２つより多くの通気孔１１は形成されていない。ここで、本明細書において、同一列上及び同一行上とは、各通気孔が同一直線上で重なり合うものを云うが、好ましくは各通気孔が完全に同一直線上で重なり合うものを云い、その一部のみが同一直線上で接触するものは含まない。
【００１２】
次に、図２を用いて本発明の第２の実施の形態に係る吸収性シートについて説明する。
図２において、２０は吸収性シートで、少なくとも下側に角部の存在しない略長方形状を呈しており、かつ、その下辺中央部に三角形状の切欠部２２が形設されていると共に、その上辺中央部には切れ目２３が形設されている。これらの切欠部２２や切れ目２３により、縦ラインに沿ってマスクが曲がり易くなるため、マスクを顔面形状に、よりフィットした状態で装着使用することができる。また、この吸収性シート２０は、その全面にわたって複数の楕円状の通気孔２１が形設されている。当該吸収性シート２０は、保水液を保持し、マスクに挿入・装着されて使用者の口腔及び／又は鼻腔に水分を供給するシートである。
マスクへの装着使用時において、当該吸収性シート２０の縦方向の同一列上には１つ以上の通気孔２１が配置形設された通気孔列が８列形成されている。他方、横方向の同一行上には、２つ以下の通気孔２１が配置形設された通気孔行が１５行形成されている。
【００１３】
次に、図３を用いて本発明の第３の実施の形態に係る吸収性シートについて説明する。
図３において、３０は吸収性シートで、少なくとも下側に角部の存在しない凹型状を呈していると共に、その全面にわたって複数の長方形の通気孔３１が形設されている。当該吸収性シート３０は、保水液を保持し、マスクに挿入・装着されて使用者の口腔及び／又は鼻腔に水分を供給するシートである。
マスクへの装着使用時において、当該吸収性シート３０の縦方向の同一列上には２つ以上の通気孔３１が配置形設された通気孔列が６列形成されている。他方、横方向の同一行上には、２つ以下の通気孔３１が配置形設された通気孔行が７行形成されている。すなわち、各通気孔行には、２つより多くの通気孔３１は形成されていない。
【００１４】
本発明の吸収性シートは、図４の（ａ）〜（ｅ）に示すような第４の実施の形態とすることもできる。
図４の（ａ）において、６０は吸収性シートで、少なくとも下側に角部の存在しない略長方形状を呈している。この吸収性シート６０は、その全面にわたって複数の円形の通気孔６１が形設され、かつ、中央部に矩形の通気孔６１が形設されている。この中央部の矩形の通気孔６１により、縦ラインに沿ってマスクが曲がり易くなるため、マスクを顔面形状に、よりフィットした状態で装着使用することができる。当該吸収性シート６０は、保水液を保持し、マスクに挿入・装着されて使用者の口腔及び／又は鼻腔に水分を供給するシートである。
マスクへの装着使用時において、当該吸収性シート６０の縦方向の同一列上には１つ以上の通気孔６１が配置形設された通気孔列が５列形成されている。他方、横方向の同一行上には、通気孔６１が配置形設された通気孔行が５行形成されている。
【００１５】
図４の（ｂ）において、７０は吸収性シートで、多角形状を呈している。この吸収性シート７０は、その全面にわたって複数の円形の通気孔７１が形設されている。当該吸収性シート７０は、保水液を保持し、マスクに挿入・装着されて使用者の口腔及び／又は鼻腔に水分を供給するシートである。
マスクへの装着使用時において、当該吸収性シート７０の縦方向の同一列上には２つ以上の通気孔７１が配置形設された通気孔列が５列形成されている。他方、横方向の同一行上には、２つ以下の通気孔７１が配置形設された通気孔行が７行形成されている。
【００１６】
図４（ｃ）において、８０は吸収性シートで、三角形状を呈しており、かつ、その上辺中央部に三角形状の切欠部８２が形設されている。この切欠部８２により、縦ラインに沿ってマスクが曲がり易くなるため、マスクを顔面形状に、よりフィットした状態で装着使用することができる。また、この吸収性シート８０は、その全面にわたって複数の円形の通気孔８１が形設されている。当該吸収性シート８０は、保水液を保持し、マスクに挿入・装着されて使用者の口腔及び／又は鼻腔に水分を供給するシートである。
マスクへの装着使用時において、当該吸収性シート８０の縦方向の同一列上には２つ以上の通気孔８１が配置形設された通気孔列が３列形成されている。他方、横方向の同一行上には、２つ以下の通気孔８１が配置形設された通気孔行が５行形成されている。
【００１７】
図４（ｄ）において、９０は吸収性シートで、楕円形状を呈しており、かつ、その上下の中央部に三角形状の切欠部９２が形設されている。この切欠部９２により、縦ラインに沿ってマスクが曲がり易くなるため、マスクを顔面形状に、よりフィットした状態で装着使用することができる。また、この吸収性シート９０は、その全面にわたって複数の円形の通気孔９１が形設されている。当該吸収性シート９０は、保水液を保持し、マスクに挿入・装着されて使用者の口腔及び／又は鼻腔に水分を供給するシートである。
マスクへの装着使用時において、当該吸収性シート９０の縦方向の同一列上には２つ以上の通気孔９１が配置形設された通気孔列が５列形成されている。他方、横方向の同一行上には、２つ以下の通気孔９１が配置形設された通気孔行が７行形成されている。
【００１８】
図４（ｅ）において、１１０は吸収性シートで、４方に角部の存在しない長方形状を呈しており、かつ、その上辺及び下辺の中央部に三角形状の切欠部１１２が形設されている。この切欠部１１２により、縦ラインに沿ってマスクが曲がり易くなるため、マスクを顔面形状に、よりフィットした状態で装着使用することができる。また、この吸収性シート１１０は、その全面にわたって複数の円形の通気孔１１１が形設されている。当該吸収性シート１１０は、保水液を保持し、マスクに挿入・装着されて使用者の口腔及び／又は鼻腔に水分を供給するシートである。
マスクへの装着使用時において、当該吸収性シート１１０の縦方向の同一列上には１つ以上の通気孔１１１が配置形設された通気孔列が５列形成されている。他方、横方向の同一行上には、２つ以下の通気孔１１１が配置形設された通気孔行が５行形成されている。
【００１９】
本発明の吸収性シートにおいて、縦方向の同一列上に形設される通気孔の数は、好ましくは１以上、更に好ましくは２〜１０つ、特に好ましくは２つ又は３つである。鼻部に最も近いマスク中央の縦方向の同一列上においては通気孔が１つ以上存在するため、図６に示しように、当該縦ラインに沿ってマスクが左右に曲がり易い結果、マスクを顔面形状にフィットした状態で装着使用することができる。また、吸収性シートにおける通気孔列の数は、好ましくは３〜１０列、好ましくは３〜８列、好ましくは４〜７列である。
上記の第１〜第４の実施の形態（図１〜図４）においては、吸収性シート１０、２０、３０、６０、７０、８０、９０及び１１０の縦方向の中心線上と、該中心線を中心として左右対称になるように通気孔１１、２１、３１、６１、７１、８１、９１、１１１を形設しているが、この態様に限らず、非対称でも実施可能である。
【００２０】
本発明の吸収性シートにおいて、横方向の同一行上に形設される通気孔の数は、好ましくは２以下、更に好ましくは１つ又は２つである。また、吸収性シートにおける横方向の通気孔行の数は、好ましくは、２〜２０列、更に好ましくは４〜１５行、特に好ましくは６〜１０列である。
また、上記の第１、第２及び第４の実施の形態（図１、２及び４）においては、吸収性シート１０、２０、６０、７０、８０、９０、１１０の横方向の中心線上と、該中心線を中心として上下対称になるように通気孔１１、２１、６１、７１、８１、９１、１１１を形設しているが、この態様に限らず、第３の実施の形態（図３）のように、非対称でも実施可能である。
【００２１】
本発明の吸収性シートにおいて、吸収性シートの全面にわたって形設される通気孔の総数は、マスク使用者の呼吸のしやすさの観点から、好ましくは３〜５０つ、更に好ましくは５〜３０つ、特に好ましくは７〜１５つである。
【００２２】
本発明の吸収性シートにおいて、通気孔の形状としては、円形、楕円形、矩形等が挙げられる。好ましくは円形である。通気孔の大きさは適宜調整することができるが、マスク使用者の呼吸のしやすさの観点から、円形の場合には、円形の直径が、好ましくは１〜１５ｍｍ、更に好ましくは３〜１０ｍｍ、特に好ましくは５〜７ｍｍである。楕円形の場合には、楕円の長径が、好ましくは１〜１５ｍｍ、更に好ましくは３〜１０ｍｍ、特に好ましくは４〜７ｍｍ、楕円の短径が、好ましくは１〜１４ｍｍ、更に好ましくは２〜９ｍｍ、特に好ましくは３〜６ｍｍである。矩形形の場合には、矩形形の長辺の長さが、好ましくは１〜１５ｍｍ、更に好ましくは３〜１３ｍｍ、特に好ましくは５〜１０ｍｍ、短辺の長さが、好ましくは１〜１４ｍｍ、更に好ましくは２〜９ｍｍ、特に好ましくは３〜６ｍｍである。
【００２３】
本発明の吸収性シートにおいて、縦方向の同一列上及び横方向の同一行上に形設される通気孔同士の間隔は適宜調整することができるが、縦方向の同一列上に形設される通気孔同士の間隔は、２〜２５ｍｍ、更に好ましくは４〜２０ｍｍ、特に好ましくは６〜１５ｍｍ、横方向の同一列上に形設される通気孔同士の間隔は、３〜７５ｍｍ、更に好ましくは５〜６０ｍｍ、特に好ましくは１０〜４５ｍｍである。
また、本発明の吸収性シートにおける各通気孔列及び通気孔行の間隔は、適宜調整することができるが、各通気孔列の間隔は、２〜２０ｍｍ、更に好ましくは４〜１５ｍｍ、特に好ましくは５〜１０ｍｍ、横方向の同一列上に形設される通気孔同士の間隔は、０〜１０ｍｍ、更に好ましくは０〜５ｍｍ、特に好ましくは０〜３ｍｍである。
【００２４】
本発明の吸水性シートの面積は、例えば、２０〜８０ｃｍ２であることが好ましく、２５〜６０ｃｍ２であることが更に好ましく、３０〜４０ｃｍ２であることが特に好ましい。
【００２５】
本発明の吸水性シートの寸法としては、例えば、縦方向の全長（縦寸法）を２〜１６ｃｍとするのが好ましく、更に４〜１３ｃｍとするのが好ましく、特に６〜１０ｃｍとするのが好ましい。他方、横方法の全長（横寸法）は５〜２２ｃｍとするのが好ましく、更に７〜２０ｃｍとするのが好ましく、特に１０〜１８ｃｍとするのが好ましい。
【００２６】
本発明において、吸水性シートの縦方向の最大長さ（縦寸法、ｃｍ）をＷ１、横方向の最大長さ（横寸法、ｃｍ）をＷ２、同一列上の通気孔の縦方向の径の合計最大値（ｃｍ）をＣ１、同一行上の通気孔の横方向の径の合計最大値（ｃｍ）をＣ２とする場合、次式（１）の関係が成り立つように、吸水性シートに通気孔を形設することが好ましい。
｛（Ｃ１）／（Ｗ１）｝＞｛（Ｃ２）/（Ｗ２）｝・・・（１）
ここで、同一列上の通気孔の縦方向の径の合計最大値は、列毎に算出した、同一列上の通気孔の縦方向の径の合計値のうちの最大値を意味する。また、同一行上の通気孔の横方向の径の合計最大値は、行毎に算出した、同一行上の通気孔の横方向の径の合計値のうちの最大値を意味する。
例えば、上記の第１の実施の形態（図１）においては、図５に示す関係が成り立つように、吸水性シートに通気孔を形設することが好ましい。
このように通気孔を形設することで、吸水性シートの横中央部の構造を維持する保持力弱くなり応力が集中するため、マスク装着時に吸水性シートが鼻部位に沿って折れ曲がる。これにより、適切なマスク空間が得られ、吸水性シートから蒸散した水を一定量保持することができ、ひいては十分な保湿感が得られる。
【００２７】
本発明の吸水性シートの繊維素材としては、例えば、親水性繊維、親水性繊維及び合成繊維の混紡等が挙げられる。
親水性繊維としては、例えば、パルプ、レーヨン、コットン等が挙げられる。なかでも、柔軟性、保水性、吸水性、コストの観点から好ましいのはパルプである。
合成繊維としては、例えば、ポリプロピレン、ポリエチレン、ポリエステル、ポリエチレンテレフタレート等が挙げられる。
親水性繊維及び合成繊維の混紡とする場合は、生産性、耐久性及び加工性の観点から、パルプと、ポリエチレンやポリプロピレン等の融着性を有する繊維からなる混紡とすることが好ましく、パルプ：ポリエチレンやポリプロピレン等の融着性を有する繊維の割合を６０：４０〜９９：１（質量比）とすることが好ましく、更に８０：２０〜９９：１（質量比）とすることが好ましく、特に８５：１５〜９５：５（質量比）とすることが好ましい。
このような吸水性シートの製法としては、例えば、エアレイド法、スパンレース法、スパンボンド法、メルトブロー法、及びニードルパンチ法等が挙げられ、エアレイド法が好ましい。
【００２８】
本発明の吸水性シートの目付は、保水液を十分に保持する観点、通気性等の使用感の観点及び生産性の観点から、２００〜１０００ｇ／ｍ２とすることが好ましく、更に３００〜８００ｇ／ｍ２とすることが更に好ましく、４００〜６００ｇ／ｍ２であることが特に好ましい。目付が１０００ｇ／ｍ２以下であると、吸水性シート自体が硬くなりにくく、通気性や着用時の使用感が良いだけでなく、適切なマスク空間が得られ、マスク装着時の密着性が良くなり、ひいては十分な保湿感が得られる。目付が２００ｇ／ｍ２以上であると、吸水性シート自体にコシがでるため、マスク本体のポケット部に収容しやすくなり、十分に水分が保持できて保湿感が得られる。
【００２９】
また、吸水性シートの厚さとしては、１〜１０ｍｍであることが好ましく、２〜８ｍｍであることが更に好ましく、３〜６ｍｍであることが特に好ましい。
【００３０】
本発明の吸水性シートは、単層であってもよいが、保水液を十分に保持する観点と耐久性の観点から、２〜６層の多層構造とすることが好ましく、２〜５層の多層構造とすることが更に好ましく、３〜４層の多層構造とすることが特に好ましい。このような多層構造とする場合は、両端に配置される層の不織布は同素材としてもよく、異なる素材としてもよい。
【００３１】
本発明の吸水性シートの形状としては、円形、楕円形、矩形、三角形、多角形、凸型、凹型等が好ましく、矩形が更に好ましく、吸水性シートの形状の少なくとも下側に角部の存在しない略長方形状を呈している形状が特に好ましい。吸水性シートの形状の少なくとも下側に角部の存在しない略長方形状を呈している形状にすることで、当該吸収性コアの下側がマスク本体の吸収性コア挿入用ポケット部の開口縁部に引っかからず、マスク本体に挿入装着し易い。
尚、吸水性シートの上辺中央部、下辺中央部には、三角形状以外の角部のある切欠部や角部のない半円状の切欠部を形設することができる。
【００３２】
本発明の吸水性シートに保持される保水液は、人体に安全であるとともに、使用者の口腔及び／又は鼻腔の乾燥を有効に防止する液体であれば特に制限されない。保水液は、水であってもよく、又は水を主成分とし、水以外の成分を配合したものであってもよい。
水以外の成分としては、例えば、メチルパラベン、エチルパラベン、プロピルパラベン、ポリアミドプロピルビグアニド、フェノキシエタノール等の防腐剤；グリセリン、プロピレングリコール、１，３−ブチレングリコール、ヒアルロン酸塩、ベタイン等の保湿剤；キサンタンガム、ヒドロキシプロピルメチルセルロース（ＨＰＭＣ）、ヒドロキシエチルセルロース（ＨＥＣ）、ヒドロキシプロピルセルロース（ＨＰＣ）、寒天、グアーガム、カラギーナン等の水溶性増粘剤；エチレンジアミン四酢酸等の安定化剤；セチルピリジニウムクロリド等の界面活性剤、香料等が挙げられる。
【００３３】
保水液は、吸水性シートに３〜２０ｇ保持されることが好ましく、４〜１５ｇ保持されることが更に好ましく、５〜１０ｇ保持されることが特に好ましい。
【００３４】
保水液は、予め吸収性シートに含浸されていてもよく、マスク使用時に吸収性シートに含浸させてもよい。予め保水液を吸収性シートに含浸させる場合は、吸収性シートを水不透過性のアルミラミネートフィルム、アルミ蒸着ＰＥＴフィルム等の袋に収容するのが好ましい。
【００３５】
次に図７及び図８を用いて、上記吸収性シート１０を備えた本発明マスクについて説明する。
図７において、４０はマスクで、使用者の顔面の一部（例えば、口や鼻孔の周辺）を覆うための多層構造を有するマスク本体４１と、当該マスク本体４１の両側に取り付けられた、細紐製の耳掛け部４５によって構成されている。マスク４０は所謂「プリーツ加工型」と呼ばれる形態のもので、複数の横方向の折り目から形成されるプリーツ（図示省略）を有している。当該プリーツは、使用前では２つの略Ω字状に折り畳まれており、これを使用時に展開するとマスク４０の外側に向かって膨らむ立体形状となるように構成されている。本立体形状にすることにより、マスクを顔に装着した時に口及び鼻孔との辺りに空間を形成することができる。空間を形成することにより、吸収性シート１０が顔に接触するのを防止することができ使用感が向上する。また、空間を形成することで、吸収性シート１０から気散した水分を一定量空間内に保持することができ、継続的に一定量を保湿することができる。
【００３６】
マスク本体４１は、図８に示すように、マスクの内側（顔面に触れる側）から外側（顔面に触れる側とは反対側）に向かって、織布又は不織布４２ｂ；通気性を有し、且つ、難透水性を有するメッシュフィルム４３ｂ；通気性を有し、且つ、難透水性を有するメッシュフィルム４３ａ；及び織布又は不織布４２ａの順で積層して構成されている。
ここで、通気性を有し、且つ、難透水性を有するメッシュフィルムとしては、例えば、ポリエステル系樹脂、ポリプロピレン系樹脂、ナイロン系樹脂、ウレタン系樹脂、ポリエチレン系樹脂が使用され、特にポリエチレン系樹脂が好適に使用される。
メッシュフィルムは、丸網などの常套手段により製造され得る。メッシュフィルムは、通気性や全体の柔軟性の観点から、メッシュ形状は６角形が好ましい。メッシュの孔径は最大径部で０．１〜２ｍｍとするのが好ましく、０．５〜１．５ｍｍとするのがより好ましい。
【００３７】
マスク本体４１の内部には、当該一対の通気性を有し、且つ、難透水性を有するメッシュフィルム４３ａ、４３ｂによって、上部に開口部を有する吸収性シート収容用ポケット部４４が形成されている。このように、一対の通気性を有し、且つ、難透水性を有するメッシュフィルムで吸収性シート１０を挟むと、より長い時間水分を保持・供給することができるため、使用者の口腔及び/又は鼻腔の乾燥を防止する上で好ましい。
尚、この図８では、４層の多層構造を有するマスク本体４１を例示しているが、マスク本体４１の構造は単層又は２層以上の多層構造とすることができる。マスク本体４１は、ホコリ、花粉、ウイルス、又はＰＭ２．５等の異物の除去、プリーツの立体形状の保持、及び耐久性の観点から、２〜６層の多層構造であることが好ましく、２〜５層の多層構造であることが更に好ましく、３〜５層層の多層構造であることが特に好ましい。
【００３８】
マスク本体４１を構成する織布又は不織布としては、一般にマスクの材料として周知のものを用いることができる。例えば、ポリエステル系繊維、ポリプロピレン系繊維、ナイロン系繊維、ウレタン系繊維、ポリエチレン系繊維、レーヨン、コットン、羊毛等からなる不織布、ガーゼ、紙、透湿性樹脂シート等が挙げられる。
なかでも、生産性、保形性の観点から、不織布が好ましく、ポリエステル系繊維、ポリプロピレン系繊維からなる不織布がより好ましく、特にポリプロピレン繊維からなる不織布が好ましい。
尚、マスク本体４１は、例えば、縫製、超音波溶着、熱融着等により適宜形成することができる。
【００３９】
吸収性シート１０を収容するポケット部４４は、通気性を有し、且つ、難透水性を有するメッシュフィルム等を用いて袋状に形成し、マスク本体４１の内側（顔面に触れる側）に取り付けてもよい。当該袋状のポケット部４４をマスク本体４１に取り付ける場合、その上部のみを取り付けることが好ましい。
【００４０】
マスク本体４１の寸法は、顔のサイズを考慮して適宜決定すればよい。例えば、縦方向の長さとしては、５０〜１４０ｍｍであることが好ましく、５０〜１２０ｍｍであることが更に好ましく、７０〜１００ｍｍであることが特に好ましい。横方向の長さとしては１００〜２１０ｍｍであることが好ましく、１３０〜２００ｍｍであることが更に好ましく、１６０〜１９０ｍｍであることが特に好ましい。
プリーツ加工が施されたマスク等の立体型マスクの場合、縦方向の長さとしては、１２０〜２５０ｍｍであることが好ましく、１４０〜２２０ｍｍであることが更に好ましく、１６０〜１９０ｍｍであることが特に好ましい。
【００４１】
耳掛け部４５の材料としては、ウレタン系繊維、ナイロン系繊維、ポリエステル系繊維、ポリプロピレン系繊維等からなる織布、不織布、又は編紐が挙げられる。 
【００４２】
本発明のマスク４０には、目的に応じてマウスバーやノーズフィッターを設けることができる。マウスバーは、マスク４０の立体形状を維持するためにマスク本体４１の中央部に設けられ、ノーズフィッターは、マスク４０を使用者の鼻に密接させるためにマスク本体４１の上辺部分に設けられる。マウスバーやノーズフィッターとしては、金属製、ポリエチレン製またはポリプロピレン製等から形成されるテープを使用することができる。 
更に、本発明のマスク４０には、細菌・ウィルス飛沫や花粉等の侵入を防止するためのメルトブロー不織布や、細菌の増殖を抑えるための抗菌性シート等を積層することもできる。
上記図７では、マスク本体４０の形状として立体型マスクを例示しているが、マスク本体は平面型マスクであってもよい。使用感の観点からは、立体型マスクが好ましい。立体型マスクには、使用時にマスク本体が立体的な形状に変形し、顔面の形状にフィットするように、不織布等からなるマスク本体に横方向にプリーツ加工を施したプリーツ加工型マスクや、マスク本体の中心部で２枚のシート部材を合掌形様に接合した立体成形型マスク等が好ましい。
【実施例】
【００４３】
以下、本発明について実施例をあげて具体的に説明するが、本発明はこれらによって何等限定されるものではない。
【００４４】
実施例１
吸収性シート１０（５０ｍｍ×８０ｍｍ：厚み６ｍｍ：目付け５００ｇ／ｍ２）及びプリーツ型マスク４０（プリーツ展開前９０ｍｍ×１７５ｍｍ、プリーツ展開後１７０ｍｍ×１７５ｍｍ）を調製した。
吸収性シートは、パルプ、ポリエチレン、及びポリプロピレンを用いて、エアレイド法で製造した。
吸収性シートの全面には、図１に示す配置になるように通気孔（円形：直径６ｍｍ）を１１つ形設した。
【００４５】
プリーツ型マスクは、マスクの内側から外側に向かって、不織布４２ｂ、通気性を有し、且つ、難透水性を有するメッシュフィルム４３ｂ、４３ａ、及び不織布４２ａの順で積層した後プリーツ加工を行って、吸収性シート収容用ポケット部４４を有するマスク本体４１を調製した。 
【００４６】
吸収性シート１０に保水液としての水を８ｇ含浸させ、マスク本体４１のポケット部４４に収容し、次の評価試験（試験例１及び試験例２）に用いた。
【００４７】
［試験例１］（マスク内湿度の評価試験）
実施例１で得たプリーツ型マスク４０を立体型にして内側に温湿度計（ＳＫ−Ｌ２００ＴＨＩＩα：佐藤計量器製作所）を取り付け、マスク内の相対湿度の変化を１分間隔で測定した。
その結果を図１０に示す。
【００４８】
図１０より、本発明のマスクは、マスク内湿度が上昇し易く、また、長い時間高い相対湿度が維持されることが確認された。
【００４９】
比較例１
吸収性シートの通気孔（直径６ｍｍ）の位置を図９に示す配置になるようにした以外は、実施例１と同様に形設した。即ち、当該吸収性シート５０の縦方向の同一列上には１つ以上の通気孔５１が配置形設された通気孔列が５列形成されている。他方、横方向の同一行上には、５つ以下の通気孔５１が配置形設された通気孔行が３行形成されている。すなわち、当該吸収性シート５０の縦方向の同一列上には２つより少ない数の通気孔５１が形成され、横方向の同一行上には、２つより大きい数の通気孔５１が形成されている。
【００５０】
［試験例２］吸収性シートのマスク収容時の評価試験
実施例１及び比較例１の吸収性シートに保水液としての水を８ｇ含浸させ、マスク本体４１のポケット部４４に収容したときの収容のしやすさについて５つの基準に従って成人男性５名で評価した。その結果を表１に記載する。
【００５１】
【表１】
2018172807.tif 000003
【００５２】
本結果より、本発明の吸収性シートは、マスク本体４１のポケット部４４に挿入しやすいことから、収容性が良好であることが確認された。
【００５３】
［試験例３］マスク装着後の評価試験
就寝前に実施例１又は比較例１のマスクを成人男性（５名）に装着した。翌朝の目覚め時のノドの状態とマスクの密着感について、５つの基準に従って評価した。その結果を表２及び表３に記載する。
【００５４】
【表２】
2018172807.tif 000004
【００５５】
【表３】
2018172807.tif 000005
【００５６】
本結果より、本発明の吸収性シートを挿入したマスクを使用すると、翌朝の目覚め時のノドの状態が潤っており、マスクの密着感も良好であることが確認された。
【００５７】
製造例１
吸収性シート１０（４０ｍｍ×７０ｍｍ：厚み５ｍｍ：目付け６００ｇ／ｍ２）及びプリーツ型マスク４０（プリーツ展開前７５ｍｍ×１６０ｍｍ、プリーツ展開後１６０ｍｍ×１６０ｍｍ）を調製した。
吸収性シートは、パルプとポリエチレン（８５：１５（質量比））を用いて、エアレイド法で製造した。
吸収性シートの全面には、図２に示す配置になるように通気孔（楕円形：長径５ｍｍ、短径４ｍｍ）を３０つ形設した。
【００５８】
製造例２
吸収性シート１０（６０ｍｍ×９０ｍｍ：厚み７ｍｍ：目付け４００ｇ／ｍ２）及びプリーツ型マスク４０（プリーツ展開前１００ｍｍ×１８５ｍｍ、プリーツ展開後１８０ｍｍ×１８５ｍｍ）を調製した。
吸収性シートは、パルプとポリプロピレン（９０：１０（質量比））を用いて、エアレイド法で製造した。
吸収性シートの全面には、図３に示す配置になるように通気孔（小さい長方形の長径５ｍｍ、短径３ｍｍ＋大きい長方形の長径１０ｍｍ、短径５ｍｍ）を１６つ形設した。
製造例１及び２の吸収性シートは、プリーツ型マスク挿入しやすく、収容性が良好であった。また、本発明のマスクは、マスク内湿度が上昇し易く、また、長い時間高い相対湿度が維持されることが確認された。また、製造例１及び２の吸収性シートを挿入したマスクを使用すると、翌朝の目覚め時のノドの状態が潤っており、マスクの密着感も良好であることが確認された。
【符号の説明】
【００５９】
１０、２０、３０、５０、６０、７０、８０、９０、１１０：吸収性シート
１１、２１、３１、５１、６１、７１、８１、９１、１１１：通気孔
４０：マスク
４１：マスク本体
４２ａ、４２ｂ：織布又は不織布
４３ａ、４３ｂ：通気性を有し、且つ、難透水性を有するメッシュフィルム
４４：ポケット部
４５：耳掛け部
【図１】
2018172807.tif 000006
【図２】
2018172807.tif 000007
【図３】
2018172807.tif 000008
【図４】
2018172807.tif 000009
【図５】
2018172807.tif 000010
【図６】
2018172807.tif 000011
【図７】
2018172807.tif 000012
【図８】
2018172807.tif 000013
【図９】
2018172807.tif 000014
【図１０】
2018172807.tif 000015